Podtech/llm-jp-corpus-v4-ja_patent huggingface dataset:
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
銅イオン、鉄イオンおよび亜鉛イオンを少なくとも一種類含有する酸性坑廃水を、還元剤の存在下で還元処理し、銅、鉄、亜鉛を金属もしくはその化合物として析出・回収することを特徴とする酸性坑廃水の処理方法。
【請求項２】
該還元剤が亜二チオン酸ナトリウム（Ｎａ２Ｓ２Ｏ４）である請求項１記載の酸性坑廃水の処理方法。
【請求項３】
銅イオン、鉄イオンおよび亜鉛イオンを少なくとも一種類含有する酸性坑廃水を、第１の容器中で、還元剤の存在下に還元処理し、銅を析出・回収することを特徴とする酸性坑廃水の処理方法。
【請求項４】
該還元剤が亜二チオン酸ナトリウム（Ｎａ２Ｓ２Ｏ４）である請求項３記載の酸性坑廃水の処理方法。
【請求項５】
（ａ）銅イオン、鉄イオンおよび亜鉛イオンを少なくとも一種類含有する酸性坑廃水を、第１の容器中で、還元剤の存在下に還元処理し、銅を析出・回収し、次いで
（ｂ）該第１の容器で銅を析出・回収処理した後に得られた水溶液を、還元雰囲気を保持しつつ、第２の容器中で塩基を添加し、亜鉛イオンを水酸化物として沈殿・回収する酸性坑廃水の処理方法。
【請求項６】
該第２の容器の気相部に酸素分子が存在しない状態にするか、および／または気液界面に酸素分子遮断剤を使用する請求項５記載の酸性坑廃水の処理方法。
【請求項７】
該酸素分子遮断剤が流動パラフィンである請求項６記載の酸性坑廃水の処理方法。
【請求項８】
（ａ）銅イオン、鉄イオンおよび亜鉛イオンを少なくとも一種類含有する酸性坑廃水を、第１の容器中で、還元剤の存在下に還元処理し、銅を析出・回収し、次いで
（ｂ）該第１の容器で銅を析出・回収処理した後に得られた水溶液を、還元雰囲気を保持しつつ、第２の容器中で塩基を添加し、亜鉛イオンを水酸化物として沈殿・回収し、さらに
（ｃ）該第２の容器で亜鉛イオンを水酸化物として沈殿・回収した後に得られた水溶液を、還元雰囲気を保持しつつ、第３の容器中で、塩基を添加して水酸化第一鉄Ｆｅ（ＯＨ）２を沈殿・回収する酸性坑廃水の処理方法。
【手続補正２】
【補正対象書類名】明細書
【補正対象項目名】００１０
【補正方法】変更
【補正の内容】
【００１０】
本発明によれば、下記の酸性坑廃水の処理方法が提供される。
（１）銅イオン、鉄イオンおよび亜鉛イオンを少なくとも一種類含有する酸性坑廃水を、還元剤の存在下で還元処理し、銅、鉄、亜鉛を金属もしくはその化合物として析出・回収することを特徴とする酸性坑廃水の処理方法。
（２）該還元剤が亜二チオン酸ナトリウム（Ｎａ２Ｓ２Ｏ４）である前記１記載の酸性坑廃水の処理方法。
（３）該亜二チオン酸ナトリウムの濃度が５０ｐｐｍ以上である前記２記載の酸性坑廃水の処理方法。
（４）銅イオン、鉄イオンおよび亜鉛イオンを少なくとも一種類含有する酸性坑廃水を、第１の容器中で、還元剤の存在下に還元処理し、銅を析出・回収することを特徴とする酸性坑廃水の処理方法。
（５）該還元剤が亜二チオン酸ナトリウム（Ｎａ２Ｓ２Ｏ４）である前記４記載の酸性坑廃水の処理方法。
（６）該亜二チオン酸ナトリウムの濃度が５０ｐｐｍ以上である前記５記載の酸性坑廃水の処理方法。
（７）（ａ）銅イオン、鉄イオンおよび亜鉛イオンを少なくとも一種類含有する酸性坑廃水を、第１の容器中で、還元剤の存在下に還元処理し、銅を析出・回収し、次いで
（ｂ）該第１の容器で銅を析出・回収処理した後に得られた水溶液を、還元雰囲気を保持しつつ、第２の容器中で塩基を添加し、亜鉛イオンを水酸化物として沈殿・回収する酸性坑廃水の処理方法。
（８）該第２の容器の気相部に酸素分子が存在しない状態にするか、および／または気液界面に酸素分子遮断剤を使用する前記７記載の酸性坑廃水の処理方法。
（９）該酸素分子遮断剤が流動パラフィンである前記８記載の酸性坑廃水の処理方法。
（１０）該塩基が水酸化ナトリウムである前記７記載の酸性坑廃水の処理方法。
（１１）（ａ）銅イオン、鉄イオンおよび亜鉛イオンを少なくとも一種類含有する酸性坑廃水を、第１の容器中で、還元剤の存在下に還元処理し、銅を析出・回収し、次いで
（ｂ）該第１の容器で銅を析出・回収処理した後に得られた水溶液を、還元雰囲気を保持しつつ、第２の容器中で塩基を添加し、亜鉛イオンを水酸化物として沈殿・回収し、さらに
（ｃ）該第２の容器で亜鉛イオンを水酸化物として沈殿・回収した後に得られた水溶液を、還元雰囲気を保持しつつ、第３の容器中で、塩基を添加して水酸化第一鉄Ｆｅ（ＯＨ）２を沈殿・回収する酸性坑廃水の処理方法。
（１２）該塩基が水酸化ナトリウムである前記１１記載の酸性坑廃水の処理方法。
【手続補正３】
【補正対象書類名】明細書
【補正対象項目名】００１２
【補正方法】変更
【補正の内容】
【００１２】
本発明において、鉱山とは、金属を産出している鉱山のみならず、休止、廃止している鉱山であってもよい。
本発明において、有用金属の回収の対象となる“酸性坑廃水”は、少なくとも一種類の銅イオン、亜鉛イオンおよび鉄イオンを含有する酸性の抗廃水である限り特に制限されるものではない。前述したように“酸性坑廃水”は、金属鉱山の抗道から流出する抗廃水であってもよく、採屈された鉱石を処理した処理物もしくは堆積物などから発生する浸透水であってもよい。
【手続補正４】
【補正対象書類名】明細書
【補正対象項目名】００１４
【補正方法】変更
【補正の内容】
【００１４】
本発明者等は、銅イオン、鉄イオンおよび亜鉛イオンを少なくとも一種類含有する酸性坑廃水を、還元剤の存在下で還元処理し、銅イオン、鉄イオン、亜鉛イオンをそれぞれ金属単体もしくはその化合物として析出・回収することを特徴とする酸性坑廃水の処理方法を見出したのである。
【手続補正５】
【補正対象書類名】明細書
【補正対象項目名】００２６
【補正方法】変更
【補正の内容】
【００２６】
亜ニチオン酸ナトリウムは吸水性が高い粉末であるため、実用場面では固結により供給管が閉塞する問題も生じる虞がある。この問題を解決するため、亜ニチオン酸ナトリウム粉末を予めエチルアルコール、アセトンの有機溶媒に懸濁もしくはスラリーの状態にして添加した際でも同様の効果があることを確認している。また、水中に高濃度で直接懸濁させると亜ニチオン酸ナトリウムが分解するので使用できない場合もある。
【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
薬品の形状種別又は寸法を測定する形状測定部と、
薬品を払い出す払出経路の高さ及び幅のいずれか一方又は両方の変更により薬品を払い出し可能な薬品カセットと、
前記薬品カセットが着脱可能であって、前記薬品カセットにおける前記払出経路の高さ及び幅のいずれか一方又は両方を変更可能な調整部と、
前記形状測定部によって測定された前記薬品の形状種別又は寸法に応じて前記調整部を制御して前記調整部に装着されている前記薬品カセットにおける前記払出経路の高さ及び幅のいずれか一方又は両方を変更可能な制御部と、
を備える薬品払出装置。
【請求項２】
前記制御部は、前記薬品に対応する前記払出経路の高さ及び幅のいずれか一方又は両方を含む駆動条件が記憶部に記憶されている場合は、前記駆動条件に従って前記調整部を制御し、前記駆動条件が前記記憶部に記憶されていない場合は、前記形状測定部によって測定された前記薬品の形状種別又は寸法に応じて前記調整部を制御する、
請求項１に記載の薬品払出装置。
【請求項３】
前記調整部が、複数の前記薬品カセットが装着される複数の装着部に個別に設けられている、
請求項１に記載の薬品払出装置。
【請求項４】
前記調整部が、複数の前記薬品カセットに共通して設けられている、
請求項１に記載の薬品払出装置。
【請求項５】
前記制御部は、前記薬品の寸法に応じて前記調整部を制御して前記調整部に装着されている前記薬品カセットにおける前記払出経路の高さ及び幅のいずれか一方又は両方を変更する、
請求項１に記載の薬品払出装置。
【請求項６】
薬品を撮影する薬品撮影装置を備え、
前記形状測定部は、前記薬品撮影装置による撮影画像に基づいて前記薬品の形状種別又は寸法を測定し、
前記薬品撮影装置及び前記調整部が、前記薬品払出装置において同一側面に配置されている、
請求項１に記載の薬品払出装置。
【請求項７】
操作モニターを備え、
前記操作モニター及び前記調整部が、前記薬品払出装置において同一側面に配置されている、
請求項１に記載の薬品払出装置。
【請求項８】
前記薬品カセットから払い出される薬品が収容されたバイアル瓶が払い出されるバイアル瓶払出部を備え、
前記バイアル瓶払出部及び前記調整部が、前記薬品払出装置において同一側面に配置されている、
請求項１に記載の薬品払出装置。
【請求項９】
薬品を撮影する薬品撮影装置と、前記薬品払出装置の操作に用いられる操作モニターと、前記薬品カセットから払い出される薬品が収容されたバイアル瓶が払い出されるバイアル瓶払出部と、を備え、
前記形状測定部は、前記薬品撮影装置による撮影画像に基づいて前記薬品の形状種別又は寸法を測定し、
前記薬品撮影装置、前記操作モニター、前記バイアル瓶払出部、及び前記調整部が、前記薬品払出装置において同一側面に配置されている、
請求項１に記載の薬品払出装置。
【請求項１０】
複数の前記薬品カセットは、前記調整部が配置される側面に対して垂直な面に配置されている、
請求項１に記載の薬品払出装置。
【請求項１１】
薬品を撮影する薬品撮影装置を備え、
前記形状測定部は、前記薬品撮影装置による撮影画像に基づいて前記薬品の形状種別又は寸法を測定し、
前記薬品撮影装置は、照明部及び撮影部を含む撮影ユニットと、前記照明部及び前記撮影部の間に配置され、透光性を有する部位で薬品を保持可能な薬品保持部と、前記撮影ユニット及び前記薬品保持部が収容され、遮光性を有する筐体と、前記撮影ユニット及び前記薬品保持部のいずれか一方又は両方を回動可能に支持する回動支持部と、を備える、
請求項１に記載の薬品払出装置。
【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
車両に搭載されて前記車両の周囲を撮像する複数の撮像手段と、
前記撮像手段が撮像した複数の撮像画像を視点変換する視点変換手段と、
前記視点変換手段が視点変換した視点変換画像における車線を認識する車線認識手段と、
隣接する前記視点変換画像でそれぞれ認識された車線のズレを抑制するよう視点変換画像を補正する補正手段と、
を備えることを特徴とする車載装置。
【請求項２】
前記視点変換手段は、前記撮像手段が撮像した複数の撮像画像に基づいて視点変換画像を合成し、
前記車線認識手段は、前記視点変換手段が合成した視点変換画像における車線を認識することを特徴とする車載装置。
【請求項３】
前記車線認識手段が認識した車線に基づいて車両の姿勢を判定する判定手段をさらに備え、
前記判定手段は、隣接する前記視点変換画像でそれぞれ認識された車線のズレに基づいて車両の姿勢を判定することを特徴とする請求項１または２に記載の車載装置。
【請求項４】
前記判定手段は、隣接する前記視点変換画像でそれぞれ認識された車線のズレ量とズレの方向と車線の傾きの少なくとも１つに基づいて車両の姿勢を判定することを特徴とする請求項３に記載の車載装置。
【請求項５】
前記判定手段は、少なくとも車両のピッチ角とロール角を判定することを特徴とする請求項３または４に記載の車載装置。
【請求項６】
前記判定手段は、前記視点変換画像で認識された車線の傾きに基づいて車両のピッチ角を判定することを特徴とする請求項３ないし５のいずれかに記載の車載装置。
【請求項７】
前記判定手段は、隣接する前記視点変換画像でそれぞれ認識された左右の車線のズレ量
の差分に基づいて車両のロール角を判定することを特徴とする請求項３ないし６のいずれかに記載の車載装置。
【請求項８】
前記判定手段は、前記視点変換画像で認識された車線の傾きに基づいて車両のピッチ角を判定し、前記左右の車線のズレ量の差分から前記ピッチ角に基づく左右の車線のズレ量を除いて車両のロール角を判定することを特徴とする請求項７に記載の車載装置。
【請求項９】
前記撮像手段は、少なくともフロントカメラ、左サイドカメラ、右サイドカメラを有し、
前記判定手段は、前記フロントカメラが撮像した画像の視点変換画像上の車線と前記左サイドカメラが撮像した画像の視点変換画像上の車線との間の第１のズレ量と第１のズレの方向、および、前記フロントカメラが撮像した画像の視点変換画像上の車線と前記右サイドカメラが撮像した画像の視点変換画像上の車線との間の第２のズレ量と第２のズレの方向とに基づいて車両の姿勢を判定することを特徴とする請求項３ないし８のいずれかに記載の車載装置。
【請求項１０】
前記判定手段は、前記フロントカメラが撮像した画像の視点変換画像上の車線、前記左サイドカメラが撮像した画像の視点変換画像上の車線、および、前記右サイドカメラが撮像した画像の視点変換画像上の車線の傾きの少なくとも１つに基づいて車両の姿勢を判定することを特徴とする請求項９に記載の車載装置。
【手続補正２】
【補正対象書類名】明細書
【補正対象項目名】発明の名称
【補正方法】変更
【補正の内容】
【発明の名称】車載装置
【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
充電池を搭載した複数の電子機器における電池残量を確認するための電池残量確認装置であって、
各上記電子機器の配置位置を示す配置位置情報と、各上記電子機器の充電池の残量を示す電池残量情報とを取得する情報取得手段と、
上記配置位置情報に基づいて、上記電子機器同士の位置関係を立体図を用いて表示すると共に、上記電池残量情報に基づいて、各上記電子機器の電池残量を各上記電子機器の配置位置と対応付けて当該立体図内に表示する情報報知手段とを備えたことを特徴とする電池残量確認装置。
【請求項２】
上記立体図には、各上記電子機器に対応する電子機器画像が含まれており、
上記情報報知手段は、
上記電池残量情報から電池残量が所定値以下である電子機器に対応する電子機器画像を強調表示することを特徴とする請求項１に記載の電池残量確認装置。
【請求項３】
ユーザの操作を受け付ける操作受付手段をさらに備え、
上記情報報知手段は、
上記操作受付手段によるユーザの操作を受け付けたとき、上記電子機器同士の位置関係および各上記電子機器の電池残量を表示することを特徴とする請求項１または２に記載の電池残量確認装置。
【請求項４】
上記情報報知手段は、
電子機器から取得する電池残量情報が所定値以下の充電池の残量であることを示したとき、上記電池残量を表示することを特徴とする請求項１〜３の何れか１項に記載の電池残量確認装置。
【請求項５】
上記電子機器は、充電池を搭載したスピーカ装置であることを特徴とする請求項１〜４の何れか１項に記載の電池残量確認装置。
【請求項６】
上記情報取得手段は、上記スピーカ装置が出力する特定の音声信号に基づいて、当該スピーカ装置の位置を解析することにより、上記配置位置情報を取得することを特徴とする請求項５に記載の電池残量確認装置。
【請求項７】
請求項１から６のいずれか１項に記載の電池残量確認装置としてコンピュータを機能させるための電池残量確認プログラムであって、コンピュータを上記各手段として機能させるための電池残量確認プログラム。
【請求項８】
請求項７に記載のプログラムを記録したコンピュータ読み取り可能な記録媒体。
【手続補正書】
【提出日】平成29年4月13日(2017.4.13)
【手続補正１】
【補正対象書類名】特許請求の範囲
【補正対象項目名】請求項１２
【補正方法】変更
【補正の内容】
【請求項１２】
前記請求項８から１１の何れか一項に記載の方法により目元の肌状態改善作用を有すると判定された物質を含有させることを含む、皮膚外用剤の設計方法。
【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
外部装置から画像データを受信する受信手段と、
前記受信手段により受信された画像データに対して、色または階調に関する調整処理を行う調整手段と、
前記調整手段による調整処理の内容に関連したパラメータ情報を生成する生成手段と、
前記調整手段による調整処理に関連した所定のタイミングで、前記パラメータ情報を前記外部装置に送信する送信手段とを備える画像処理装置。
【請求項２】
前記受信手段は、前記外部装置の動作状態を示す情報を受信し、
前記送信手段は、前記外部装置の状態に応じて、前記パラメータ情報を送信するか否かを決めることを特徴とする請求項１に記載の画像処理装置。
【請求項３】
前記送信手段は、前記外部装置がパラメータ情報を受信可能である場合に、前記パラメータ情報を送信することを特徴とする請求項２に記載の画像処理装置。
【請求項４】
前記送信手段は、前記外部装置がパラメータ情報を受信可能でない場合に、一定時間待機後、前記外部装置の動作状態を示す情報の送信を前記外部装置に要求することを特徴とする請求項２または３に記載の画像処理装置。
【請求項５】
前記送信手段は、前記外部装置が記録待機状態である場合に、前記外部装置がパラメータ情報を受信可能であると判断することを特徴とする請求項３に記載の画像処理装置。
【請求項６】
前記所定のタイミングは、ユーザによる前記パラメータ情報の送信指示のタイミングであることを特徴とする請求項１に記載の画像処理装置。
【請求項７】
前記所定のタイミングは、ユーザによる調整処理の終了の指示のタイミングであることを特徴とする請求項１に記載の画像処理装置。
【請求項８】
前記所定のタイミングは、前記パラメータ情報の保存の指示のタイミングであることを特徴とする請求項１に記載の画像処理装置。
【請求項９】
前記所定のタイミングは、複数の調整処理のための項目のうち、少なくとも一つの項目に関する調整処理が完了したタイミングであることを特徴とする請求項１に記載の画像処理装置。
【請求項１０】
前記所定のタイミングは、前記調整処理のためのユーザからの指示が一定時間なかったタイミングであることを特徴とする請求項１に記載の画像処理装置。
【請求項１１】
前記パラメータ情報を送信したかどうかを示す結果を記録する手段を備えることを特徴とする請求項１に記載の画像処理装置。
【請求項１２】
前記パラメータ情報は、ＡＳＣ（Ａｍｅｒｉｃａｎ  Ｓｏｃｉｅｔｙ  ｏｆＣｉｎｅｍａｔｏｇｒａｐｈｅｒｓ）−ＣＤＬ（Ｃｏｌｏｒ  Ｄｅｃｉｓｉｏｎ  Ｌｉｓｔ）で記述される情報であることを特徴とする請求項１から１１までのいずれか１項に記載の画像処理装置。
【請求項１３】
前記調整手段による調整処理は、ＡＣＥＳ規格に従ったＡＣＥＳ＿ＲＧＢ信号に対して行われるＬＭＴ（Ｌｏｏｋ  Ｍｏｄｉｆｉｃａｔｉｏｎ  Ｔｒａｎｓｏｆｏｒｍ）処理であることを特徴とする請求項１から１２までのいずれか１項に記載の画像処理装置。
【請求項１４】
撮像装置と画像処理装置を含むシステムであって、
前記画像処理装置は、
前記外部装置から画像データを受信する受信手段と、
前記受信手段により受信された画像データに対して、色または階調に関する調整処理を行う調整手段と、
前記調整手段による調整処理の内容に関連したパラメータ情報を生成する生成手段と、
前記調整手段による調整処理に関連した所定のタイミングで、前記パラメータ情報を前記外部装置に送信する送信手段と、を備え、
前記外部装置は、
撮像して得られた画像データを記録するとともに、前記画像処理装置から送信された前記パラメータ情報を記録する記録手段を備える
ことを特徴とするシステム。
【請求項１５】
前記外部装置は、撮像して得られた画像データの記録が完了したことに応じて、前記画像処理装置から送信された前記パラメータ情報を記録することを特徴とする請求項１４に記載のシステム。
【請求項１６】
前記パラメータ情報は、ＡＳＣ（Ａｍｅｒｉｃａｎ  Ｓｏｃｉｅｔｙ  ｏｆＣｉｎｅｍａｔｏｇｒａｐｈｅｒｓ）−ＣＤＬ（Ｃｏｌｏｒ  Ｄｅｃｉｓｉｏｎ  Ｌｉｓｔ）で記述される情報であることを特徴とする請求項１４または１５に記載のシステム。
【手続補正２】
【補正対象書類名】明細書
【補正対象項目名】発明の名称
【補正方法】変更
【補正の内容】
【発明の名称】画像処理装置およびシステム
【手続補正３】
【補正対象書類名】明細書
【補正対象項目名】０００９
【補正方法】変更
【補正の内容】
【０００９】
そこで、本発明は、外部装置で記録される画像に、適切な調整パラメータが適用されることを可能にした、画像処理装置およびシステムを提供することを目的とする。
【手続補正４】
【補正対象書類名】明細書
【補正対象項目名】００１０
【補正方法】変更
【補正の内容】
【００１０】
本発明においては、外部装置から画像データを受信する受信手段と、前記受信手段により受信された画像データに対して、色または階調に関する調整処理を行う調整手段と、前記調整手段による調整処理の内容に関連したパラメータ情報を生成する生成手段と、前記調整手段による調整処理に関連した所定のタイミングで、前記パラメータ情報を前記外部装置に送信する送信手段とを備える。
【手続補正５】
【補正対象書類名】明細書
【補正対象項目名】００１１
【補正方法】変更
【補正の内容】
【００１１】
本発明によれば、外部装置で記録される画像に、適切な調整パラメータが適用されるようになる。
【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
複数のアイテムに割り当てられたアイテムパラメータに応じて進行する電子ゲーム装置であって、
選択されたアイテムが割り当てられるスロットを少なくとも１つ有する第１のレイヤーにおいて、当該スロットにアイテムを割り当てる第１レイヤー割当手段と、
前記第１のレイヤーの各スロットに対応付けられたスロットを少なくとも１つ有する第２のレイヤーにおいて、当該スロットにアイテムを割り当てる第２レイヤー割当手段と、
前記第２のレイヤーのスロットに割り当てられたアイテムのパラメータに応じて、前記第１のレイヤーにおいて当該スロットに対応付けられたスロットに割り当てられたアイテムのパラメータを補正するレイヤー間パラメータ補正手段と、
を備え、
前記レイヤー間パラメータ補正手段によって補正されたアイテムパラメータをゲームの進行に用いることを特徴とする電子ゲーム装置。
【請求項２】
請求項１に記載の電子ゲーム装置であって、
対戦型の電子ゲームを対象としており、
味方及び敵に対してそれぞれ前記第１のレイヤー及び前記第２のレイヤーが設定され、前記味方及び前記敵について前記レイヤー間パラメータ補正手段においてアイテムのパラメータを補正することを特徴とする電子ゲーム装置。
【請求項３】
請求項２に記載の電子ゲーム装置であって、
前記レイヤー間パラメータ補正手段は、前記敵のアイテムのパラメータを弱くするように補正することを特徴とする電子ゲーム装置。
【請求項４】
請求項１〜３のいずれか１項に記載の電子ゲーム装置であって、
ゲームの進行に応じて、前記レイヤー間パラメータ補正手段におけるアイテムパラメータの補正を変更することを特徴とする電子ゲーム装置。
【請求項５】
請求項１〜４のいずれか１項に記載の電子ゲーム装置であって、
前記レイヤーの総数を変更するレイヤー数変更手段を備えることを特徴とする電子ゲーム装置。
【請求項６】
請求項１〜５のいずれか１項に記載の電子ゲーム装置であって、
前記レイヤー間パラメータ補正手段における前記レイヤー間の関係を変更するレイヤー関係変更手段を備えることを特徴とする電子ゲーム装置。
【請求項７】
請求項１〜６のいずれか１項に記載の電子ゲーム装置であって、
前記複数のレイヤー間においてアイテムを入れ替えるアイテム入替手段を備えることを特徴とする電子ゲーム装置。
【請求項８】
請求項１〜７のいずれか１項に記載の電子ゲーム装置であって、
前記アイテムパラメータは、アイテムの攻撃力、防御力、アイテムに特有の特性の少なくとも１つであることを特徴とする電子ゲーム装置。
【請求項９】
複数のアイテムに割り当てられたアイテムパラメータに応じて進行する電子ゲームプログラムであって、
コンピュータを、
選択されたアイテムが割り当てられるスロットを少なくとも１つ有する第１のレイヤーにおいて、当該スロットにアイテムを割り当てる第１レイヤー割当手段と、
前記第１のレイヤーの各スロットに対応付けられたスロットを少なくとも１つ有する第２のレイヤーにおいて、当該スロットにアイテムを割り当てる第２レイヤー割当手段と、
前記第２のレイヤーのスロットに割り当てられたアイテムのパラメータに応じて、前記第１のレイヤーにおいて当該スロットに対応付けられたスロットに割り当てられたアイテムのパラメータを補正するレイヤー間パラメータ補正手段と、
として機能させ、
前記レイヤー間パラメータ補正手段によって補正されたアイテムパラメータを用いてゲームを進行させることを特徴とする電子ゲームプログラム。
【手続補正２】
【補正対象書類名】明細書
【補正対象項目名】０００６
【補正方法】変更
【補正の内容】
【０００６】
本発明の１つの態様は、複数のアイテムに割り当てられたアイテムパラメータに応じて進行する電子ゲーム装置であって、選択されたアイテムが割り当てられるスロットを少なくとも１つ有する第１のレイヤーにおいて、当該スロットにアイテムを割り当てる第１レイヤー割当手段と、前記第１のレイヤーの各スロットに対応付けられたスロットを少なくとも１つ有する第２のレイヤーにおいて、当該スロットにアイテムを割り当てる第２レイヤー割当手段と、前記第２のレイヤーのスロットに割り当てられたアイテムのパラメータに応じて、前記第１のレイヤーにおいて当該スロットに対応付けられたスロットに割り当てられたアイテムのパラメータを補正するレイヤー間パラメータ補正手段と、を備え、前記レイヤー間パラメータ補正手段によって補正されたアイテムパラメータをゲームの進行に用いることを特徴とする電子ゲーム装置である。
【手続補正３】
【補正対象書類名】明細書
【補正対象項目名】０００７
【補正方法】変更
【補正の内容】
【０００７】
本発明の１つの態様は、複数のアイテムに割り当てられたアイテムパラメータに応じて進行する電子ゲームプログラムであって、コンピュータを、選択されたアイテムが割り当てられるスロットを少なくとも１つ有する第１のレイヤーにおいて、当該スロットにアイテムを割り当てる第１レイヤー割当手段と、前記第１のレイヤーの各スロットに対応付けられたスロットを少なくとも１つ有する第２のレイヤーにおいて、当該スロットにアイテムを割り当てる第２レイヤー割当手段と、前記第２のレイヤーのスロットに割り当てられたアイテムのパラメータに応じて、前記第１のレイヤーにおいて当該スロットに対応付けられたスロットに割り当てられたアイテムのパラメータを補正するレイヤー間パラメータ補正手段と、として機能させ、前記レイヤー間パラメータ補正手段によって補正されたアイテムパラメータを用いてゲームを進行させることを特徴とする電子ゲームプログラムである。
【手続補正４】
【補正対象書類名】明細書
【補正対象項目名】０００８
【補正方法】変更
【補正の内容】
【０００８】
ここで、対戦型の電子ゲームを対象としており、味方及び敵に対してそれぞれ前記第１のレイヤー及び前記第２のレイヤーが設定され、前記味方及び前記敵について前記レイヤー間パラメータ補正手段においてアイテムのパラメータを補正することが好適である。
【手続補正５】
【補正対象書類名】明細書
【補正対象項目名】０００９
【補正方法】変更
【補正の内容】
【０００９】
また、前記レイヤー間パラメータ補正手段は、前記敵のアイテムのパラメータを弱くするように補正することが好適である。
【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
所定の判別を行う判別手段と、
その判別手段による判別結果が特定の判別結果となったことに基づいて遊技者に有利な特典遊技を実行する特典遊技実行手段と、
遊技球が入球したことに基づいて所定の特典が付与される入球手段と、
その入球手段の状態として、遊技球が入球可能な第１状態と、その第１状態よりも遊技球が入球し難くなる第２状態とを１の前記特典遊技において設定する入球状態設定手段と、
前記判別手段による判別結果を示す識別情報の動的表示を実行する動的表示実行手段と、
その動的表示実行手段により実行する前記識別情報の動的表示の実行期間を、前記判別手段による判別が実行される毎に、当該判別の判別結果に応じて設定する実行期間設定手段と、を備え、
前記実行期間設定手段は、前記特典遊技が終了した後における前記判別手段による判別の実行回数が特定回数以下の範囲において前記特定の判別結果となる場合に、前記特典遊技が終了してからの経過期間が予め定められた特定期間となった時点で前記特定の判別結果を示す前記識別情報の動的表示が終了するように、前記特定回数内のそれぞれの前記実行期間を設定可能なものであることを特徴とする遊技機。
【請求項２】
前記識別情報を表示可能な表示手段を備えることを特徴とする請求項１記載の遊技機。
【手続補正２】
【補正対象書類名】明細書
【補正対象項目名】０００４
【補正方法】変更
【補正の内容】
【０００４】
しかしながら、かかる遊技機では、当たり中の遊技が単に賞球を得るための作業のようになってしまう場合があり、遊技者が当たり中の遊技を楽しめない虞があった。
【手続補正３】
【補正対象書類名】明細書
【補正対象項目名】０００５
【補正方法】変更
【補正の内容】
【０００５】
本発明は、上記例示した問題点等を解決するためになされたものであり、遊技者の遊技に対する興趣を向上させることができる遊技機を提供することを目的としている。
【手続補正４】
【補正対象書類名】明細書
【補正対象項目名】０００６
【補正方法】変更
【補正の内容】
【０００６】
この目的を達成するために請求項１記載の遊技機は、所定の判別を行う判別手段と、その判別手段による判別結果が特定の判別結果となったことに基づいて遊技者に有利な特典遊技を実行する特典遊技実行手段と、遊技球が入球したことに基づいて所定の特典が付与される入球手段と、その入球手段の状態として、遊技球が入球可能な第１状態と、その第１状態よりも遊技球が入球し難くなる第２状態とを１の前記特典遊技において設定する入球状態設定手段と、前記判別手段による判別結果を示す識別情報の動的表示を実行する動的表示実行手段と、その動的表示実行手段により実行する前記識別情報の動的表示の実行期間を、前記判別手段による判別が実行される毎に、当該判別の判別結果に応じて設定する実行期間設定手段と、を備え、前記実行期間設定手段は、前記特典遊技が終了した後における前記判別手段による判別の実行回数が特定回数以下の範囲において前記特定の判別結果となる場合に、前記特典遊技が終了してからの経過期間が予め定められた特定期間となった時点で前記特定の判別結果を示す前記識別情報の動的表示が終了するように、前記特定回数内のそれぞれの前記実行期間を設定可能なものである。
【手続補正５】
【補正対象書類名】明細書
【補正対象項目名】０００７
【補正方法】変更
【補正の内容】
【０００７】
請求項２記載の遊技機は、請求項１に記載の遊技機において、前記識別情報を表示可能な表示手段を備える。
【手続補正６】
【補正対象書類名】明細書
【補正対象項目名】０００９
【補正方法】変更
【補正の内容】
【０００９】
本発明の遊技機によれば、所定の判別を行う判別手段と、その判別手段による判別結果が特定の判別結果となったことに基づいて遊技者に有利な特典遊技を実行する特典遊技実行手段と、遊技球が入球したことに基づいて所定の特典が付与される入球手段と、その入球手段の状態として、遊技球が入球可能な第１状態と、その第１状態よりも遊技球が入球し難くなる第２状態とを１の前記特典遊技において設定する入球状態設定手段と、前記判別手段による判別結果を示す識別情報の動的表示を実行する動的表示実行手段と、その動的表示実行手段により実行する前記識別情報の動的表示の実行期間を、前記判別手段による判別が実行される毎に、当該判別の判別結果に応じて設定する実行期間設定手段と、を備え、前記実行期間設定手段は、前記特典遊技が終了した後における前記判別手段による判別の実行回数が特定回数以下の範囲において前記特定の判別結果となる場合に、前記特典遊技が終了してからの経過期間が予め定められた特定期間となった時点で前記特定の判別結果を示す前記識別情報の動的表示が終了するように、前記特定回数内のそれぞれの前記実行期間を設定可能なものである。
【手続補正７】
【補正対象書類名】明細書
【補正対象項目名】００１０
【補正方法】変更
【補正の内容】
【００１０】
これにより、遊技者の遊技に対する興趣を向上させることができるという効果がある。
【手続補正８】
【補正対象書類名】明細書
【補正対象項目名】１０３３
【補正方法】変更
【補正の内容】
【１０３３】
１０                      パチンコ機（遊技機）
６５ａ                    特定入賞口（入球手段）
Ｓ２１２                  判別手段
Ｓ２１３                  特典遊技実行手段
Ｓ３０５                  動的表示実行手段
Ｓ４０３，Ｓ４０５        実行期間設定手段の一部
Ｓ５０３，Ｓ５０５        実行期間設定手段の一部
Ｓ１２０３，Ｓ１２０６    入球状態設定手段
Ｓ１６１７                示唆演出実行手段
【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
判別条件の成立に基づいて所定の判別を行う判別手段と、
その判別手段による判別結果が特定の判別結果となったことに基づいて、遊技者にとって有利な特典遊技を実行する特典遊技実行手段と、
遊技球が入球することにより所定の特典が付与される入球手段と、
その入球手段の状態として、遊技球が入球可能な第１状態と、その第１状態よりも遊技球の入球が困難となる第２状態とを１の前記特典遊技において設定する入球状態設定手段と、
前記特典遊技の実行期間のうち、少なくとも前記入球手段の状態が前記第２状態に設定される期間において、第１演出を実行する第１演出実行手段と、
前記特典遊技の実行後において、少なくとも所定期間、前記第１演出の実行中に表示される表示要素である第１演出表示要素のうち、少なくとも一部の表示要素が表示される第２演出を実行可能な第２演出実行手段と、
遊技者による操作に基づいて遊技球を発射する発射手段と、
その発射手段に対する前記操作の内容が特定の操作内容となった場合に成立し得る予め定められた特定条件が成立したかを判別する条件判別手段と、
前記第２演出の実行中に前記条件判別手段により前記特定条件が成立したと判別されたことに基づいて、前記第２演出とは異なる演出態様の第３演出をも実行する第３演出実行手段と、を備え、
前記第２演出実行手段は、前記特典遊技の実行が終了した時点において前記判別条件が成立していなくても、前記第２演出を実行可能に構成されているものであることを特徴とする遊技機。
【請求項２】
前記発射手段は、遊技者の操作内容に応じて遊技球の発射強度を可変可能に構成されているものであることを特徴とする請求項１記載の遊技機。
【手続補正２】
【補正対象書類名】明細書
【補正対象項目名】０００４
【補正方法】変更
【補正の内容】
【０００４】
しかしながら、かかる遊技機では、当たり中の遊技が単に賞球を得るための作業のようになってしまう場合があり、遊技者が当たり中の遊技を楽しめない虞があった。
【手続補正３】
【補正対象書類名】明細書
【補正対象項目名】０００５
【補正方法】変更
【補正の内容】
【０００５】
本発明は、上記例示した問題点等を解決するためになされたものであり、遊技者の遊技に対する興趣を向上させることができる遊技機を提供することを目的としている。
【手続補正４】
【補正対象書類名】明細書
【補正対象項目名】０００６
【補正方法】変更
【補正の内容】
【０００６】
この目的を達成するために請求項１記載の遊技機は、判別条件の成立に基づいて所定の判別を行う判別手段と、その判別手段による判別結果が特定の判別結果となったことに基づいて、遊技者にとって有利な特典遊技を実行する特典遊技実行手段と、遊技球が入球することにより所定の特典が付与される入球手段と、その入球手段の状態として、遊技球が入球可能な第１状態と、その第１状態よりも遊技球の入球が困難となる第２状態とを１の前記特典遊技において設定する入球状態設定手段と、前記特典遊技の実行期間のうち、少なくとも前記入球手段の状態が前記第２状態に設定される期間において、第１演出を実行する第１演出実行手段と、前記特典遊技の実行後において、少なくとも所定期間、前記第１演出の実行中に表示される表示要素である第１演出表示要素のうち、少なくとも一部の表示要素が表示される第２演出を実行可能な第２演出実行手段と、遊技者による操作に基づいて遊技球を発射する発射手段と、その発射手段に対する前記操作の内容が特定の操作内容となった場合に成立し得る予め定められた特定条件が成立したかを判別する条件判別手段と、前記第２演出の実行中に前記条件判別手段により前記特定条件が成立したと判別されたことに基づいて、前記第２演出とは異なる演出態様の第３演出をも実行する第３演出実行手段と、を備え、前記第２演出実行手段は、前記特典遊技の実行が終了した時点において前記判別条件が成立していなくても、前記第２演出を実行可能に構成されているものである。
【手続補正５】
【補正対象書類名】明細書
【補正対象項目名】０００７
【補正方法】変更
【補正の内容】
【０００７】
請求項２記載の遊技機は、請求項１に記載の遊技機において、前記発射手段は、遊技者の操作内容に応じて遊技球の発射強度を可変可能に構成されているものである。
【手続補正６】
【補正対象書類名】明細書
【補正対象項目名】０００９
【補正方法】変更
【補正の内容】
【０００９】
本発明の遊技機によれば、判別条件の成立に基づいて所定の判別を行う判別手段と、その判別手段による判別結果が特定の判別結果となったことに基づいて、遊技者にとって有利な特典遊技を実行する特典遊技実行手段と、遊技球が入球することにより所定の特典が付与される入球手段と、その入球手段の状態として、遊技球が入球可能な第１状態と、その第１状態よりも遊技球の入球が困難となる第２状態とを１の前記特典遊技において設定する入球状態設定手段と、前記特典遊技の実行期間のうち、少なくとも前記入球手段の状態が前記第２状態に設定される期間において、第１演出を実行する第１演出実行手段と、前記特典遊技の実行後において、少なくとも所定期間、前記第１演出の実行中に表示される表示要素である第１演出表示要素のうち、少なくとも一部の表示要素が表示される第２演出を実行可能な第２演出実行手段と、遊技者による操作に基づいて遊技球を発射する発射手段と、その発射手段に対する前記操作の内容が特定の操作内容となった場合に成立し得る予め定められた特定条件が成立したかを判別する条件判別手段と、前記第２演出の実行中に前記条件判別手段により前記特定条件が成立したと判別されたことに基づいて、前記第２演出とは異なる演出態様の第３演出をも実行する第３演出実行手段と、を備え、前記第２演出実行手段は、前記特典遊技の実行が終了した時点において前記判別条件が成立していなくても、前記第２演出を実行可能に構成されているものである。
【手続補正７】
【補正対象書類名】明細書
【補正対象項目名】１０３４
【補正方法】変更
【補正の内容】
【１０３４】
１０                      パチンコ機（遊技機）
６５ａ                    特定入賞口（入球口）
１１２ 発射制御装置（発射手段）
Ｓ２１２                  判別手段
Ｓ２１３                  特典遊技実行手段
Ｓ３０５                  動的表示実行手段
Ｓ４０３，Ｓ４０５        実行期間設定手段の一部
Ｓ５０３，Ｓ５０５        実行期間設定手段の一部
Ｓ１２０３，Ｓ１２０６    入球状態設定手段
Ｓ１６１７                第２演出実行手段
Ｓ４００５ 条件判別手段
【手続補正書】
【提出日】平成29年2月9日(2017.2.9)
【手続補正１】
【補正対象書類名】明細書
【補正対象項目名】００３８
【補正方法】変更
【補正の内容】
【００３８】
図１０において、ケース２１の横断面形状は、回路基板２２の短手方向に対応する方向の径がＤ２（Ｄ２＞Ｗ、Ｄ２＞Ｄ）で楕円の長軸となり、回路基板２２の短手方向に垂直の方向の径がＤ１（Ｄ１＜Ｗ、Ｄ１＜Ｄ）で楕円の短軸となる。ケース２１は、塑性変形しない（降伏点を超えない）程度に弾性変形させることができる。
【手続補正２】
【補正対象書類名】図面
【補正対象項目名】図２
【補正方法】変更
【補正の内容】
【図２】
2015226076.tif 000001
【手続補正３】
【補正対象書類名】図面
【補正対象項目名】図５
【補正方法】変更
【補正の内容】
【図５】
2015226076.tif 000002
【手続補正４】
【補正対象書類名】図面
【補正対象項目名】図９
【補正方法】変更
【補正の内容】
【図９】
2015226076.tif 000003
【手続補正５】
【補正対象書類名】図面
【補正対象項目名】図１０
【補正方法】変更
【補正の内容】
【図１０】
2015226076.tif 000004
【手続補正書】
【提出日】平成29年5月26日(2017.5.26)
【手続補正１】
【補正対象書類名】明細書
【補正対象項目名】発明の名称
【補正方法】変更
【補正の内容】
【発明の名称】情報処理装置、及びその電力状態を変更する方法
【手続補正２】
【補正対象書類名】明細書
【補正対象項目名】０００１
【補正方法】変更
【補正の内容】
【０００１】
本発明は、情報処理装置、及びその電力状態を変更する方法に関する。
【手続補正３】
【補正対象書類名】明細書
【補正対象項目名】０００６
【補正方法】変更
【補正の内容】
【０００６】
本発明の目的は、消費電力を十分に節約できる情報処理装置、及びその電力状態を変更する方法を提供することにある。
【手続補正４】
【補正対象書類名】明細書
【補正対象項目名】０００７
【補正方法】変更
【補正の内容】
【０００７】
上記目的を達成するために、本発明の情報処理装置は、情報処理装置であって、前記情報処理装置を制御する制御部と、前記情報処理装置を、前記制御部への電力供給を停止した省電力状態に移行する電力制御部と、前記情報処理装置が前記省電力状態のときに外部装置から送信されたデータを受信する受信部と、を備え、前記受信部は、特定のデータを受信したことに基づいて、前記制御部に電力が供給されるよう前記電力制御部に指示し、受信した前記特定のデータを前記制御部に送信し、前記制御部は、受信した前記特定のデータの宛先ポート番号に基づいて前記情報処理装置が移行するべき電力状態を決定し、前記宛先ポート番号に基づいて移行すべき電力状態を決定できない場合には、前記特定のデータを解析して前記情報処理装置が移行するべき電力状態を決定する、ことを特徴とする。
【手続補正５】
【補正対象書類名】特許請求の範囲
【補正対象項目名】全文
【補正方法】変更
【補正の内容】
【特許請求の範囲】
【請求項１】
情報処理装置であって、
前記情報処理装置を制御する制御部と、
前記情報処理装置を、前記制御部への電力供給を停止した省電力状態に移行する電力制御部と、
前記情報処理装置が前記省電力状態のときに外部装置から送信されたデータを受信する受信部と、を備え、
前記受信部は、特定のデータを受信したことに基づいて、前記制御部に電力が供給されるよう前記電力制御部に指示し、受信した前記特定のデータを前記制御部に送信し、
前記制御部は、受信した前記特定のデータの宛先ポート番号に基づいて前記情報処理装置が移行するべき電力状態を決定し、前記宛先ポート番号に基づいて移行すべき電力状態を決定できない場合には、前記特定のデータを解析して前記情報処理装置が移行するべき電力状態を決定する、ことを特徴とする情報処理装置。
【請求項２】
前記制御部は、前記特定のデータのデータセクションに記憶されるデータを解析して、移行するべき電力状態を決定する、ことを特徴とする請求項１に記載の情報処理装置。
【請求項３】
前記制御部は、前記データセクションに記憶されるＭＩＢ（management information base）情報を解析して、移行するべき電力状態を決定する、ことを特徴とする請求項２に記載の情報処理装置。
【請求項４】
前記制御部は、受信した前記特定のデータの宛先ポート番号に基づいて、前記特定のデータを処理すべきアプリケーションを特定し、
前記電力制御部は、特定されたアプリケーションからの指示に従って１又は複数のデバイスに電力を供給する、ことを特徴とする請求項１乃至３の何れか１項に記載の情報処理装置。
【請求項５】
前記情報処理装置は、第１モード及び第２モードを有し、
前記第１モードが設定されている場合、前記特定のデータを解析して前記情報処理装置が移行するべき電力状態を決定し、前記第２モードが設定されている場合、前記特定のデータを解析せずに前記情報処理装置が移行するべき電力状態を決定する、ことを特徴とする請求項１乃至４の何れか１項に記載の情報処理装置。
【請求項６】
前記第１モード及び前記第２モードの何れかを選択する画面を表示する表示部をさらに備える、ことを特徴とする請求項５に記載の情報処理装置。
【請求項７】
情報処理装置の電力状態を変更する方法であって、
前記情報処理装置を制御する制御部への電力供給を停止した省電力状態に移行するステップと、
前記情報処理装置が前記省電力状態のときに外部装置から送信されたデータを受信するステップと、
特定のデータを受信したことに基づいて、前記制御部に電力を供給するステップと、
前記制御部に前記特定のデータを送信するステップと、
前記制御部が、前記特定のデータの宛先ポート番号に基づいて前記情報処理装置が移行するべき電力状態を決定するステップと、
前記制御部が、前記宛先ポート番号に基づいて移行すべき電力状態を決定できない場合には、前記特定のデータを解析して前記情報処理装置が移行するべき電力状態を決定するステップと、を有することを特徴とする情報処理装置の電力状態を変更する方法。
【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
ディスプレイの表面を覆う樹脂パネルの生産方法であって、
（ａ）開口部を形成するための柱体が内部に存在しない金型に液体の樹脂材料を充填する工程と、
（ｂ）前記樹脂材料を硬化して、前記開口部のないパネル体を生成する工程と、
（ｃ）前記パネル体に前記開口部を設ける工程と、
を備えることを特徴とする生産方法。
【請求項２】
請求項１に記載の生産方法において、
前記工程（ｂ）は、外縁部が丸みを帯びた凹部を有する前記パネル体を生成し、
前記工程（ｃ）は、前記凹部に前記開口部を設けることを特徴とする生産方法。
【請求項３】
ディスプレイの表面を覆う樹脂パネルであって、
（ａ）開口部を形成するための柱体が内部に存在しない金型に液体の樹脂材料を充填する工程と、
（ｂ）前記樹脂材料を硬化して、前記開口部のないパネル体を生成する工程と、
（ｃ）前記パネル体に前記開口部を設ける工程と、
を備えた生産方法によって生産されることを特徴とする樹脂パネル。
【請求項４】
表示システムであって、
請求項３に記載の樹脂パネルと、
前記樹脂パネルに覆われるディスプレイと、
を備えることを特徴とする表示システム。
【請求項５】
請求項４に記載の表示システムにおいて、
前記樹脂パネルの前記開口部を貫通して配置され、ユーザの操作を受け付ける操作部材、
をさらに備えることを特徴とする表示システム。
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
複数の製品領域と、それぞれの前記製品領域を囲んで格子状となる第１格子領域とを有するガラス基板を用意する工程と、
少なくとも前記第１格子領域に、前記ガラス基板よりも硬質の保護膜を形成する工程と、
前記保護膜を覆って、前記複数の製品領域及び前記第１格子領域に重複するように、前記ガラス基板の上に連続的に樹脂層を形成する工程と、
前記複数の製品領域とは重複せず且つ前記第１格子領域と重複して、それぞれの前記製品領域を囲む第２格子領域で、ブラスト加工によって前記樹脂層の一部を除去する工程と、
前記樹脂層の上に、画素回路を備える複数の画素と、前記画素回路を駆動する駆動部と、を含む回路層を形成する工程と、
前記複数の製品領域をそれぞれ分離するように、前記樹脂層の前記一部が除去された前記第２格子領域を通るラインで、前記ガラス基板を切断する工程と、
前記ガラス基板を前記樹脂層から剥離する工程と、
を含むことを特徴とする表示装置の製造方法。
【請求項２】
請求項１に記載された表示装置の製造方法において、
前記ガラス基板を切断する工程で、前記保護膜も切断することを特徴とする表示装置の製造方法。
【請求項３】
請求項１又は２に記載された表示装置の製造方法において、
前記ガラス基板を前記樹脂層から剥離する工程で、前記保護膜を前記樹脂層から剥離することを特徴とする表示装置の製造方法。
【請求項４】
請求項３に記載された表示装置の製造方法において、
前記ガラス基板を前記樹脂層から剥離する工程で、前記ガラス基板及び前記保護膜を通して前記樹脂層にレーザー光を照射し、前記樹脂層の、前記ガラス基板及び前記保護膜に対向する表面にレーザーアブレーションを生じさせることを特徴とする表示装置の製造方法。
【請求項５】
請求項１又は２に記載された表示装置の製造方法において、
前記ガラス基板を前記樹脂層から剥離する工程で、前記ガラス基板を前記保護膜から剥離し、前記保護膜は前記樹脂層から剥離されないことを特徴とする表示装置の製造方法。
【請求項６】
請求項５に記載された表示装置の製造方法において、
前記ガラス基板を前記樹脂層から剥離する工程で、前記ガラス基板を通して前記保護膜及び前記樹脂層にレーザー光を照射し、前記保護膜及び前記樹脂層の、前記ガラス基板に対向する表面にレーザーアブレーションを生じさせることを特徴とする表示装置の製造方法。
【請求項７】
請求項１から６のいずれか１項に記載された表示装置の製造方法において、
前記保護膜を形成する工程で、前記保護膜を、前記複数の製品領域及び前記第１格子領域を連続的に覆うように形成することを特徴とする表示装置の製造方法。
【請求項８】
請求項１から６のいずれか１項に記載された表示装置の製造方法において、
前記保護膜を形成する工程で、前記保護膜を、前記複数の画素が位置する表示領域の外周を囲むシール材との重複を避けて形成することを特徴とする表示装置の製造方法。
【請求項９】
請求項８に記載された表示装置の製造方法において、
前記樹脂層を形成する工程で、前記樹脂層の前記保護膜と重複する領域に、前記ガラス基板とは反対の方向に突出する凸部を形成することを特徴とする表示装置の製造方法。
【請求項１０】
請求項９に記載された表示装置の製造方法において、
前記ガラス基板を切断する工程及び前記ガラス基板を剥離する工程の前に、
対向樹脂層が形成された対向ガラス基板を用意する工程と、
前記対向ガラス基板を、充填材及び前記充填材を囲む前記シール材を介して、前記ガラス基板と貼り合わせる工程と、
をさらに含み、
前記対向ガラス基板を貼り合わせる工程で、前記シール材を、前記凸部に囲まれた領域の内側に配置し、
前記ガラス基板を切断する工程で、前記複数の製品領域に対応して分離するように、前記対向ガラス基板を切断し、
前記対向ガラス基板を前記対向樹脂層から剥離する工程をさらに有することを特徴とする表示装置の製造方法。
【請求項１１】
請求項１０に記載された表示装置の製造方法において、
前記対向ガラス基板は、複数の対向製品領域と、それぞれの前記対向製品領域を囲んで格子状となる第１対向格子領域を有し、
前記対向ガラス基板を用意する工程は、
少なくとも前記第１対向格子領域に、前記対向ガラス基板よりも硬質の対向保護膜を形成する工程と、
前記対向保護膜を覆うように、前記複数の対向製品領域及び前記第１対向格子領域に、連続的に前記対向樹脂層を形成する工程と、
前記複数の対向製品領域とは重複せず且つ前記第１対向格子領域と重複して、それぞれの前記対向製品領域を囲む第２対向格子領域で、ブラスト加工によって前記対向樹脂層の一部を除去する工程と、
を含むことを特徴とする表示装置の製造方法。
【請求項１２】
請求項１１に記載された表示装置の製造方法において、
前記対向樹脂層を形成する工程で、前記対向樹脂層の前記対向保護膜と重複する領域に、前記対向ガラス基板とは反対の方向に突出する凸部を形成することを特徴とする表示装置の製造方法。
【請求項１３】
請求項１２に記載された表示装置の製造方法において、
前記対向ガラス基板を貼り合わせる工程で、前記シール材を、前記対向ガラス基板の凸部に囲まれた領域の内側に配置することを特徴とする表示装置の製造方法。
【請求項１４】
請求項１から請求項１３の何れか１項に記載された表示装置の製造方法において、
前記回路層は、下地膜と、前記下地膜の上に位置する薄膜トランジスタとを有し、
前記回路層を形成する工程は、前記下地膜を前記樹脂層の上面と側面とに形成する工程を含み、
前記第１格子領域において、前記樹脂層の前記上面と前記側面と下面とは、前記下地膜と前記保護膜とによって囲われていることを特徴とする表示装置の製造方法。
【請求項１５】
請求項１から請求項１４の何れか１項に記載された表示装置の製造方法において、
前記保護膜は、ダイアモンドライクカーボン、アルミナ、ＳｉＣの何れかで形成されることを特徴とする表示装置の製造方法。